(57)【要約】【課題】機能部ケースを備えた手洗装置において、万一機能部ケース内に水が浸入したりその内部に結露水が生じた場合においても、特に支障を生ずることのない手洗装置を提供する。【解決手段】手洗器の支持部３０の上面に機能部のケース１８を取り付け、ケース１８から突出させた吐水口よりボウル部３２に向けて吐水するようになした自動手洗装置において、ケース１８の底部１０４に形成した配管等の貫通部材を貫通させる貫通穴を取り囲む位置において、底部１０４の下面と支持部３０の取付面との間にシール部材１２８を介装してシールする。そしてシール部の外側においてケース１８の底部１０４にケース１８内の水を抜くための水抜穴１３０を設けるととともに、ケース１８の底部１０４の上面を水抜穴１３０に向けて傾斜する傾斜面１３２とする。【選択図】        図５
2006255228.tif 000002
【特許請求の範囲】
【請求項１】
手洗器等水受器の取付基体の上面側に機能部ケースを取り付け、該機能部ケースから露出させた吐水口より水受凹部に向けて吐水するようになした手洗装置において
前記機能部ケースの底部に形成した配管等の貫通部材を貫通させる開口を取り囲む位置に、該底部の下面と前記取付基体の取付面との間にシール部材を介装してシールするとともに、該機能部ケース内の水を該機能部ケースの底部と該取付面との間の隙間に且つ前記シール部材によるシール部の外側に排出する水抜穴を該底部に設けるととともに、該底部の上面を該水抜穴に向けて傾斜させたことを特徴とする手洗装置。
【請求項２】
請求項１において、前記底部には前記水受凹部側からの水が前記水抜穴を通じて前記機能部ケース内に浸入するのを防ぐ防水カバー部が該水抜穴の下側に設けてあることを特徴とする手洗装置。
【発明の詳細な説明】
【技術分野】
【０００１】
この発明は手洗装置に関し、詳しくは取付基体の取付面の上側に機能部ケースを取り付け、その機能部ケースから露出させた吐水口より水受凹部に向けて吐水するようになした手洗装置に関する。
【背景技術】
【０００２】
従来、機能部ケースに吐水口を露出状態で設け、吐水口より手洗器のボウル部等の水受凹部に向けて吐水するようになした手洗装置が公知である。
例えば下記特許文献１に、この種の手洗装置として機能部ケースから石鹸液の吐出口，手洗水の吐水口及び温風の吹出口を突出させ、それぞれの前方に手を差し出すとそれら吐出口，吐水口及び吹出口に近接して配置された対応する人体検知センサによる人体検知に基づいて、自動的に石鹸液の吐出，手洗水の吐水及び手乾燥用の温風の吹出しをなすようにした自動手洗装置が開示されている。
【０００３】
ところで機能部ケースを取付基体の取付面の上側に取り付けた場合、機能部ケース外から機能部ケース内に水が浸入したり、機能部ケース内で結露水が発生すると、浸入水等が機能部ケースの底部を貫通して設けられた配管等の貫通部材を伝って下側に漏出したり、また機能部ケース内に電気部品が収納してあると、その電気部品への水の付着によって短絡や漏電を起したりする不具合が生ずる。
【０００４】
以上吐水口からの吐水の他に石鹸液の吐出，温風の吹出しの機能を備えた自動手洗装置について述べたが、石鹸液の吐出機能，温風の吹出機能を備えていない単に吐水機能のみを備えた手洗装置においても同様の問題が内在している。
【０００５】
【特許文献１】特許第２６５６２８９号
【発明の開示】
【発明が解決しようとする課題】
【０００６】
本発明はこのような事情を背景とし、機能部ケースを備えた手洗装置において、機能部ケース内に水が浸入したりその内部に結露水が生じた場合においても、特に支障を生ずることのない手洗装置を提供することを目的としてなされたものである。
【課題を解決するための手段】
【０００７】
而して請求項１のものは、手洗器等水受器の取付基体の上面側に機能部ケースを取り付け、該機能部ケースから露出させた吐水口より水受凹部に向けて吐水するようになした手洗装置において、前記機能部ケースの底部に形成した配管等の貫通部材を貫通させる開口を取り囲む位置に、該底部の下面と前記取付基体の取付面との間にシール部材を介装してシールするとともに、該機能部ケース内の水を該機能部ケースの底部と該取付面との間の隙間に且つ前記シール部材によるシール部の外側に排出する水抜穴を該底部に設けるととともに、該底部の上面を該水抜穴に向けて傾斜させたことを特徴とする。
【０００８】
請求項２のものは、請求項１において、前記底部には前記水受凹部側からの水が前記水抜穴を通じて前記機能部ケース内に浸入するのを防ぐ防水カバー部が該水抜穴の下側に設けてあることを特徴とする。
【発明の作用・効果】
【０００９】
以上のように本発明は、機能部ケースの底部に形成した貫通部材の貫通用の開口を取り囲む位置において、底部の下面と取付基体の取付面との間にシール部材を介装してシールするとともに、そのシール部の外側において、機能部ケース内の水を機能部ケース外且つ上記底部と取付面との間の隙間に排出する水抜穴を設けるとともに、機能部ケースの底部の上面をその水抜穴に向けて傾斜させたもので、本発明によれば、万一配管からの漏水や悪戯等によって機能部ケース内に水が浸入したような場合、或いはまた機能部ケース内で結露水が生じた場合においても、良好に機能部ケース内の水を底部上面の傾斜に基づいて水抜穴に導き、更にその水抜穴を通じて機能部ケース外に排出することができる。これにより機能部ケース内の水が配管等の貫通部材を伝って下方に漏出してしまうのを良好に防止することができる。
【００１０】
また機能部ケース内に電気部品が収納してある場合において、その電気部品に機能部ケース内への水の浸入等によって不具合が生ずるのを防止することができる。
【００１１】
次に請求項２は、水抜穴の下側に水受凹部側からの水が機能部ケース内に浸入するのを防ぐ防水カバー部を設けたもので、このようにしておけば、水受凹部側からの水がその水抜穴を通じて機能部ケース内に浸入するのを効果的に防止することができる。
【発明を実施するための最良の形態】
【００１２】
次に本発明を吐水機能の他、石鹸液の吐出機能，手乾燥用の温風の吹出機能を備えてそれら吐水，石鹸液の吐出，温風の吹出しを自動的に行う自動手洗装置に適用した場合の実施形態を図面に基づいて以下に詳しく説明する。
図１において、１０は自動手洗装置（ここでは壁掛式）で、陶器製の手洗器１２と、その下部のキャビネット１４及び手洗器１２に装着された機能部ユニット１６とを有している。
機能部ユニット１６は機能部ケース（以下単にケースとする）１８を有しており、各種の機能部がそこに内蔵されている。
ここでケース１８は、ケース本体としての下ケース１８Ａと、その上端の開口を閉鎖する上蓋１８Ｂとを有している。
【００１３】
手洗器１２の後部には、図２及び図３に示しているようにその後端縁に沿って立上る後壁部２４と、左右一対の側壁部２６とで囲まれた収容凹部２８が形成されており、図２にも示しているようにその収容凹部２８に上記の機能部ユニット１６が収容されている。
機能部ユニット１６は、その後面と側面とがそれぞれ手洗器１２の後壁部２４と左右一対の側壁部２６とで囲われており、その前面が手洗器１２のボウル部（水受凹部）３２に向けて開放されている。
ここで収容凹部２８の底部は、機能部ユニット１６を支持する平坦な支持部（取付基体）３０とされている。
尚図２において、３４はボウル部３２に設けられた排水口である。
【００１４】
図１に示しているように、機能部ユニット１６におけるケース１８の前面壁１０２には、石鹸液の吐出口４０と対応する人体検知センサ４６，手洗水の吐水口３８と対応する人体検知センサ４４、及び手乾燥用の温風を吹き出す吹出口３６と対応する人体検知センサ４２が設けられている。
ここで吐出口４０，吐水口３８及び吹出口３６は、それぞれケース１８の前面壁１０２から突出する形態で設けられている。
また吹出口３６は、吹出ノズル１００の先端に左右に細長いスリット状に形成されている。
【００１５】
この自動手洗装置１０では、石鹸液の吐出口４０の前方に手を差し出すと、人体検知センサ４６がこれを検知して吐出口４０から自動的にムース状の石鹸液（石鹸液に空気を混合して泡状としたもの）を吐出する。
また吐水口３８の前方に手を差し出すと、人体検知センサ４４がこれを検知して吐水口３８から自動的に手洗水としての温水を吐水する。
更に吹出口３６の前方に濡れた手を差し出すと、人体検知センサ４２がこれを検知して吹出口３６から自動的に温風を吹き出し、濡れた手を乾燥させる。
【００１６】
尚図２及び図５に示しているように、機能部ユニット１６におけるケース１８の前面壁１０２は、手洗器１２のボウル部３２に臨んで設けられている。
詳しくは、この前面壁１０２はその下端縁がボウル部３２の後端且つ上端縁に位置していて、その上端縁に沿って図１中左右方向に延びており、そして下端縁から上方に進むに連れて、詳しくは図５中左向き即ち上方に進むに連れてボウル部３２の外周縁より内方且つ中心側に移行する形態の傾斜形状で設けられている。
従って上記石鹸液の吐出口４０，手洗水の吐水口３８，温風の吹出口３６及びそれぞれに対応する人体検知センサ４６，４４，４２もまた、それぞれボウル部３２に臨んで位置している。
より詳しくは、それらの何れもがボウル部３２の後端且つ上端縁よりボウル部３２の内方側に位置していて、それぞれが斜め下向きをなしている。
【００１７】
図１に示しているように、キャビネット１４の内部には排水管５０が設けられており、その上端がボウル部３２の排水口３４に接続されている。
ボウル部３２からの排水は、この排水管５０のトラップ部５２を経て外部に排出される。
【００１８】
キャビネット１４にはまた、その内部且つ下部に石鹸液タンク６０が設けられており、そこに所定量の石鹸液（水石鹸液）が貯溜されるようになっている。
この石鹸液タンク６０からは給液管６２が延び出しており、その給液管６２上に給液ポンプ６４が設けられている。
石鹸液タンク６０内の石鹸液は、この給液ポンプ６４により給液管６２を通じて上記の石鹸液の吐出口４０へと送られる。
７０は空気ポンプで、この空気ポンプ７０により空気が給気管６８を通じて上記石鹸液の吐出口４０に向けて送られる。
石鹸液はこの空気とともに混合されてムース状とされ、吐出口４０からボウル部３２に向けて吐出される。
【００１９】
尚、ケース１８の前面壁１０２には石鹸液の補給を行うための補給口６５が設けられており、この補給口６５と石鹸液タンク６０とが補給管６６で連絡されている。
この補給口６５には引出容器４８が前後に出し入れ可能に設けられており、石鹸液の補給は、この引出容器４８を引き出した状態でその上面の注入口に対して石鹸液を注入することにより行う。
【００２０】
キャビネット１４の内部にはまた湯水の混合部５４と、温水の供給遮断を行う電磁弁５６とが設けられており、その混合部５４に対し冷水と湯とを供給する配管が接続されている。
混合部５４に供給された冷水と湯とは、ここで所定比率に混合されて適温の混合水とされ、電磁弁５６の開弁により給水管５８を通じて吐水口３８へと送られて、そこからボウル部３２に向けて吐水される。
【００２１】
キャビネット１４の内部には更に、ケース７２の内部に送風機及びヒータを収容した乾燥機本体３５が設けられており、この乾燥機本体３５から送風管７４が上向きに延び出している。
この乾燥機本体３５のケース７２には吸気口７６が設けられており、この吸気口７６から吸入された空気がヒータによる加熱作用で温風とされて送風機による送風作用で送風管７４を通じて吹出口３６へと送られる。
【００２２】
図２に示しているように、吹出ノズル１００は吹出室ケース７８に一体的に設けられている。
吹出室ケース７８の内部には吹出室８０が形成されている。
この吹出室８０は送風路の一部を成しており、乾燥機本体３５から送り出された温風が、送風管７４内部を上向きに流れて送風路の一部を成す吹出室８０内に流入し、吹出口３６から外部に勢い良く吹き出される。
【００２３】
尚、図３に示しているように機能部ユニット１６の内部、即ちケース１８の内部には、自動手洗装置１０の動作制御をなす制御基盤１１２と、電源電圧を変換する電源トランス１１６が設けられている。これらは上蓋１８Ｂの下面に吊下状態に固定されている。
【００２４】
図４に示しているように、ケース１８の底部１０４には図中左右方向の長穴形状の取付穴１０６が設けられている。
一方陶器製の手洗器１２における支持部３０には、これとは直角をなす前後方向（図４中上下方向）に長穴形状をなす取付穴１０８が設けられており、それら取付穴１０６，１０８においてケース１８の底部１０４がボルト１１０にて支持部３０に取付固定されている。
【００２５】
このケース１８の底部１０４及び手洗器１２における支持部３０にはまた、図３及び図４中左右方向に適宜間隔で図２の吹出室ケース７８に一体に設けられた下向きの接続管１１８を貫通させる貫通穴１２０及び１２１（図３参照），給水管５８及び給液管６２を貫通させる貫通穴１２２及び１２３，図１の引出容器４８を前後に出し入れ可能に保持する引出ケース１２４に一体に設けられた接続管１１４を貫通させる貫通穴１２６及び１２７が設けられている。
ここで吹出室ケース７８に一体に設けられた接続管１１８には、図２に示すように送風管７４の上端部が嵌合状態に接続されている。
【００２６】
ケース１８の底部１０４の下面と取付基体としての支持部３０の上面（取付面）との間には、上記各貫通穴１２０及び１２１，１２２及び１２３，１２６及び１２７、更に取付穴１０６，１０８を全体的に取り囲むようにしてシール部材１２８が介装されており、このシール部材１２８によって、底部１０４と支持部３０との間が水密にシールされている。
【００２７】
そして底部１０４には、このシール部材１２８によるシール部の外側においてこれを板厚方向、即ち上下方向に貫通する水抜穴１３０が図４中左右方向の複数箇所（ここでは３箇所）に設けられている。
また図５に示すように底部１０４の上面は、これら水抜穴１３０に向って角度θで斜め下向きに傾斜する傾斜面１３２とされている。
【００２８】
ここで傾斜面１３２は、ケース１８内の水を水抜穴１３０に向って流下させるもので、この傾斜面１３２に沿って流れた水は、水抜穴１３０からシール部材１２８の介装によって底部１０４と支持部３０との間に形成された隙間Ｓに落下し、続いて支持部３０の上面即ち取付面に沿ってボウル部３２に流れ落ちる。
【００２９】
図５に示すように底部１０４にはまた、ボウル部３２側から水抜穴１３０を通じてケース１８内に水が浸入するのを防ぐ防水カバー部１３４が一体に設けられている。
ここで防水カバー部１３４は全体として断面Ｌ字状をなしていて、水抜穴１３０におけるボウル部３２側の縁部から下向きに立ち下がる立下り部１３６と、支持部３０の上面との間に微小な隙間を形成する状態で略水平に延びる壁部１３８とを有している。
即ちこの防水カバー部１３４は、水抜穴１３０の下側において水抜穴１３０の略全体を下側から覆う形態を成している。
【００３０】
本実施形態では、シール部材１２８によるシール部の外側においてケース１８内の水をケース１８外且つ底部１０４と支持部３０との間の隙間Ｓに排出する水抜穴１３０を設けるとともに、底部１０４の上面を水抜穴１３０に向かって傾斜する傾斜面１３２としているため、万一配管からの漏水や悪戯等によってケース１８内に水が浸入したような場合、或いはまたケース１８内で結露水が生じた場合においても、良好にケース１８内の水を底部１０４の傾斜に基づいて水抜穴１３０に導き、更にその水抜穴１３０を通じてケース１８外に排出し、ボウル部３２へと流し落すことができる。
従ってケース１８内の水が配管等の貫通部材を伝って手洗器１２の下側且つキャビネット１４内に漏出してしまうのを良好に防止することができる。
またケース１８内に電気部品が収納してある場合において、その電気部品にケース１８内への水の浸入等によって不具合が生ずるのを防止することができる。
【００３１】
また本実施形態では水抜穴１３０の下側に防水カバー部１３４を、水抜穴１３０の略全体を下側から覆う状態に設けていることから、ボウル部３２側からの水がその水抜穴１３０を通じてケース１８内に浸入するのを効果的に防止することができる。
【００３２】
以上本発明の実施形態を詳述したが、これはあくまで一例示である。
例えば本発明は単に吐水機能のみを有する手洗装置に適用することも可能であるなど、その趣旨を逸脱しない範囲において種々変更を加えた形態で構成可能である。
【図面の簡単な説明】
【００３３】
【図１】本発明の一実施形態の自動手洗装置を示す全体図である。
【図２】同実施形態の側面断面図である。
【図３】同実施形態の機能部ユニットとその周辺部を分解して示す図である。
【図４】同実施形態の機能部ユニットの内部を上蓋を除いて示す平面図である。
【図５】同実施形態の要部を拡大して示す図である。
【符号の説明】
【００３４】
１０  自動手洗装置
１２  手洗器
１８  機能部ケース
３０  支持部（取付基体）
３２  ボウル部（水受凹部）
３８  吐水口
５８  給水管
６２  給液管
１０４  底部
１０６  取付穴
１１４  接続管
１１８  接続管
１２０，１２２，１２６  貫通穴
１２８  シール部材
１３０  水抜穴
１３２  傾斜面
１３４  防水カバー部
Ｓ  隙間
【図１】
2006255228.tif 000003
【図２】
2006255228.tif 000004
【図３】
2006255228.tif 000005
【図４】
2006255228.tif 000006
【図５】
2006255228.tif 000007